(57)【要約】【課題】複数の電気機器の運転状況を表示する画面の中から、指定された電気機器についての運転状況をユーザが容易に把握可能とする遠隔操作表示装置を得ること。【解決手段】複数の電気機器の運転状況を表示するとともに、複数の電気機器の運転を遠隔操作するための入力操作を受け付ける表示操作部１６と、入力操作に応じた運転指示を複数の電気機器へ送信し、かつ運転状況の情報を複数の電気機器から受信する送受信手段１５と、を有し、表示操作部１６は、複数の電気機器のうち、画面における視認し易さを他の電気機器より優先させるものとして指定された電気機器についての表示を、強調表示とするための表示形態設定手段を備える。【選択図】図１
2014160382.tif 000002
【特許請求の範囲】
【請求項１】
複数の電気機器の運転状況を表示するとともに、前記複数の電気機器の運転を遠隔操作するための入力操作を受け付ける表示操作部と、
前記入力操作に応じた運転指示を前記複数の電気機器へ送信し、かつ前記運転状況の情報を前記複数の電気機器から受信する送受信手段と、を有し、
前記表示操作部は、前記複数の電気機器のうち、画面における視認し易さを他の電気機器より優先させるものとして指定された電気機器についての表示を、強調表示とするための表示形態設定手段を備えることを特徴とする遠隔操作表示装置。
【請求項２】
前記表示形態設定手段は、前記複数の電気機器の前記運転状況を表示するリストにおいて、前記指定された電気機器の前記運転状況を最上位に表示する前記強調表示を実施することを特徴とする請求項１に記載の遠隔操作表示装置。
【請求項３】
前記表示形態設定手段は、前記指定された電気機器についての表示に含まれる文字列のフォントを、前記他の電気機器についての表示に含まれる文字列のフォントとは異ならせることによる前記強調表示を実施することを特徴とする請求項１に記載の遠隔操作表示装置。
【請求項４】
前記表示形態設定手段は、前記指定された電気機器についての表示にアイコンを追加することによる前記強調表示を実施することを特徴とする請求項１に記載の遠隔操作表示装置。
【請求項５】
前記表示操作部は、画面の切り替えのためのタッチスイッチを備え、
前記表示形態設定手段は、さらに、前記タッチスイッチの位置を変更させる機能を備えることを特徴とする請求項１から４のいずれか一つに記載の遠隔操作表示装置。
【請求項６】
前記表示操作部は、前記運転状況を表示する運転状況表示画面と、前記複数の電気機器に対し発電電力を供給可能な太陽光発電システムの発電電力のデータを表示する電力表示画面との切り替えを可能とすることを特徴とする請求項１から５のいずれか一つに記載の遠隔操作表示装置。
【請求項７】
前記表示操作部および前記送受信手段を備える表示ユニットと、
前記太陽光発電システムの前記発電電力を計測する計測ユニットと、を有し、
前記表示ユニットの前記送受信手段は、前記計測ユニットにおける計測結果である前記発電電力のデータを前記計測ユニットから受信することを特徴とする請求項６に記載の遠隔操作表示装置。
【発明の詳細な説明】
【技術分野】
【０００１】
本発明は、遠隔操作表示装置、特に、住宅内のエアコン等の電気機器の遠隔操作を受け付けるとともに、太陽光発電システムによる発電電力や電気機器による消費電力などのデータを表示する遠隔操作表示装置に関する。
【背景技術】
【０００２】
近年、例えば住宅内の各部屋に設定されている電気機器を、リビングなどに設置されたコントローラによって集中的に遠隔操作し、また電気機器の運転状況を表示するシステムが製品化されてきている。
【０００３】
また、近年、地球温暖化の原因となるＣＯ２の排出量削減問題や、いずれ枯渇が予想される化石燃料に対する代替エネルギーへの関心が高まっている。中でも、クリーンでかつ無尽蔵のエネルギー源である太陽光による太陽光発電システムが注目を集めている。さらに、消費者の省エネルギーへの意識を高め、かつその実践をサポートするために、各種電力データを表示するモニターなども市販されている。
【０００４】
例えば、特許文献１には、住宅内のエアコン、照明、テレビなど複数の電気機器の稼働状況をコントローラの表示部に表示するとともに、そのコントローラによってこれらの電気機器を遠隔操作する遠隔管理システムが開示されている。
【０００５】
また、例えば特許文献２には、発電電力計測部により計測された発電電力量およびその積算電力量のデータと、消費電力計測部により計測された消費電力量のデータとを無線通信により送信し、送信されたデータを表示装置にて受信し、表示する太陽光発電システムの電力表示システムが開示されている。近年、太陽光発電システムの電力表示システムの機能と、上述の遠隔管理システムの機能とを併せ持つシステムが出てきている。
【先行技術文献】
【特許文献】
【０００６】
【特許文献１】特開２００２−３１８８４３号公報
【特許文献２】特開２００５−２４１３８８号公報
【発明の概要】
【発明が解決しようとする課題】
【０００７】
上述の遠隔管理システムは、住宅内の複数の電気機器について、各運転状況を１つの画面に並べて表示することで、住宅内の各電気機器の運転状況を一括して監視することができる。例えば、住宅内の複数の部屋にエアコンが設置されている場合、そのすべてのエアコンの運転状況を１つの画面上で監視可能とする。例えば、在室者がいないはずのエアコンを運転停止とすることや、十分に冷房がきいている部屋ではエアコンの設定温度を上げることができるため、このシステムは、住宅全体での省エネルギーのための集中管理に適している。
【０００８】
住宅内における複数のエアコンのうち、ユーザにとって運転状況を最も知りたい部屋のエアコンがあるとする。そのエアコンについては運転状況が容易に把握できることがユーザにとって望ましいにもかかわらず、複数のエアコンの各運転状況を１つの画面に並べて表示することで、そのエアコンの運転状況が一目ではわかりにくくなる場合があり得る。ユーザから見てコントローラが離れた位置にあるほど、コントローラの表示が読みにくくなるため、このような問題が起こり易くなる。
【０００９】
本発明は、上記に鑑みてなされたものであって、複数の電気機器の運転状況を表示する画面の中から、指定された電気機器についての運転状況をユーザが容易に把握可能とする遠隔操作表示装置を得ることを目的とする。
【課題を解決するための手段】
【００１０】
上述した課題を解決し、目的を達成するために、本発明は、複数の電気機器の運転状況を表示するとともに、前記複数の電気機器の運転を遠隔操作するための入力操作を受け付ける表示操作部と、前記入力操作に応じた運転指示を前記複数の電気機器へ送信し、かつ前記運転状況の情報を前記複数の電気機器から受信する送受信手段と、を有し、前記表示操作部は、前記複数の電気機器のうち、画面における視認し易さを他の電気機器より優先させるものとして指定された電気機器についての表示を、強調表示とするための表示形態設定手段を備えることを特徴とする。
【発明の効果】
【００１１】
本発明によれば、遠隔操作表示装置は、１つの画面における複数の電気機器の運転状況についての表示の中で、画面における視認し易さを優先させるものとして指定された電気機器についての表示を、他の電気機器についての表示とは異なる強調表示とする。これにより、ユーザは、画面における視認し易さを優先させるものとして指定した電気機器について、運転状況を容易に把握することができるという効果を奏する。
【図面の簡単な説明】
【００１２】
【図１】図１は、本発明の実施の形態１にかかる遠隔操作表示装置と、太陽光発電システムおよび住宅内分電盤との接続構成を示す図である。
【図２】図２は、住宅内全体における電力状態を表示する電力表示画面の一例を示す図である。
【図３】図３は、個別機器管理画面の一例を示す図である。
【図４】図４は、エアコンについての運転状況表示画面の一例を示す図である。
【図５】図５は、運転状況表示画面における運転切替のタッチスイッチへのタッチ操作に応じて表示されるポップアップ画面の一例を示す図である。
【図６】図６は、運転状況表示画面における設定温度のタッチスイッチへのタッチ操作に応じて表示されるポップアップ画面の一例を示す図である。
【図７】図７は、表示操作部に表示される設定変更画面の一例を示す図である。
【図８】図８は、設定変更画面での操作を経た運転状況表示画面の一例を示す図である。
【図９】図９は、本発明の実施の形態２にかかる遠隔操作表示装置における、運転状況表示画面の一例を示す図である。
【図１０】図１０は、本発明の実施の形態３にかかる遠隔操作表示装置における、運転状況表示画面の一例を示す図である。
【発明を実施するための形態】
【００１３】
以下に、本発明にかかる遠隔操作表示装置の実施の形態を図面に基づいて詳細に説明する。なお、この実施の形態によりこの発明が限定されるものではない。
【００１４】
実施の形態１．
図１は、本発明の実施の形態１にかかる遠隔操作表示装置と、太陽光発電システムおよび住宅内分電盤との接続構成を示す図である。
【００１５】
太陽光発電システムは、太陽電池アレイ１およびパワーコンディショナ２を備える。太陽電池アレイ１は、例えば住宅の屋上に設置されている。太陽電池アレイ１は、複数枚の太陽電池モジュールを直列あるいは並列に接続して構成されている。各太陽電池アレイ１には、それぞれパワーコンディショナ２が接続されている。
【００１６】
太陽電池アレイ１は、太陽光を受けて発電し、直流電力を発生させる。パワーコンディショナ２は、太陽電池アレイ１で発生した直流電力を、交流電力へ変換する。パワーコンディショナ２の出力線５は、分電盤３に接続されている。太陽光発電システムからの交流電力は、分電盤３内の分岐ブレーカーを経由して、住宅内の電気機器であるエアコン４等で消費される。
【００１７】
曇天時や雨天時など、発電電力が少ない場合や、夜間など発電ができない場合には、商用電源（系統電源）から分電盤３を経由して電力が各電気機器に供給される（買電）。これとは逆に、発電電力が、そのときに住宅内の各電気機器で消費されている全消費電力より多い場合は、その余剰分は分電盤３を経由して商用電源に逆潮流される（売電）。
【００１８】
遠隔操作表示装置は、計測ユニット６および表示ユニット７を備える。計測ユニット６は、電力のデータを収集し、電力量を演算する。計測ユニット６は、太陽光発電システムにより発電された発電電力と、住宅内における消費電力を計測する。計測ユニット６は、表示ユニット７との間の無線通信のための送信手段１４を備える。送信手段１４は、計測ユニット６での計測結果である発電電力のデータを含む各種電力データを送信する。
【００１９】
表示ユニット７は、送受信手段１５および表示操作部１６を備える。送受信手段１５は、計測ユニット６から各種電力データを受信する。表示操作部１６は、各種画面を表示するとともに、複数の電気機器に対する遠隔操作のための入力を受け付ける。表示操作部１６は、例えば、タッチパネルを備える液晶ディスプレイ（ＬＣＤ）である。計測ユニット６の送信手段１４と表示ユニット７の送受信手段１５とは、互いのデータのやり取りを、例えば無線ＬＡＮによる通信で行う。
【００２０】
計測ユニット６との間で送受信可能な通信機能をパワーコンディショナ２が有している場合、太陽光発電システムで発電された電力のデータは、パワーコンディショナ２および計測ユニット６の間に配線された通信線８を介して、計測ユニット６へ送られる。
【００２１】
計測ユニット６との間で送受信可能な通信機能がパワーコンディショナ２に無い場合、パワーコンディショナ２から分電盤３への出力線５に電流センサ９が設けられる。その電流センサ９の出力が、計測ユニット６の電流センサ入力部１０に入力されることにより、計測ユニット６は、そのパワーコンディショナ２からの発電電力のデータを収集する。
【００２２】
分電盤３内に装着された売買電力検出用電流センサ１１は、商用電源および分電盤３の間に流れる電流の値と向きを計測する。計測ユニット６は、売買電力検出用電流センサ１１での計測結果から、売電電力および買電電力のデータを収集する。
【００２３】
分電盤３内の分岐ブレーカーの二次側には、それぞれ電流センサ１２が装着されている。電流センサ１２は、分岐ブレーカーごとの電流を計測する。計測ユニット６は、電流センサ１２での計測結果から、分岐ブレーカーの出力側に接続された電気機器であるエアコン４ごとに、消費されている電力のデータを収集する。
【００２４】
なお、図１では、分岐ブレーカーの出力側に２つのエアコン４を接続している例を示しているが、エアコン４の数は任意であるものとする。また、分岐ブレーカーの出力側には、エアコン４が接続される場合に限られず、いずれの電気機器が接続されるものとしても良い。
【００２５】
電力線１３は、計測ユニット６および分電盤３を接続する。計測ユニット６は、電力線１３を介して、分電盤３内の１分岐ブレーカーから配線されたコンセントに接続、あるいは１分岐ブレーカーの二次側に直接接続されるなどにより、計測ユニット６自身の電源を得ている。計測ユニット６は、この電源の電圧値を計測し、電流センサ１２などによって得られた電流値との演算を行って、各種電力データを得ている。
【００２６】
住宅内の電気機器であるエアコン４は、分電盤３内の分岐ブレーカーの二次側に接続されている。エアコン４は、表示ユニット７との通信を行うための送受信手段１７を備える。エアコン４の送受信手段１７と表示ユニット７の送受信手段１５とは、互いのデータのやり取りを、例えば無線ＬＡＮによる通信で行う。
【００２７】
表示操作部１６は、電力表示画面と運転状況表示画面とに、画面を切り替え可能とする。表示操作部１６は、電力表示画面では、パワーコンディショナ２との通信や、電流センサ９、売買電力検出用電流センサ１１、電流センサ１２により計測ユニット６にて収集した発電電力、売電電力、買電電力、および各エアコン４で消費されている消費電力などのデータを表示する。表示操作部１６は、電力表示画面において、電力や電力量などのデータを、数値やグラフなどとして表示する。
【００２８】
図２は、住宅内全体における電力状態を表示する電力表示画面の一例を示す図である。この電力表示画面２０は、例えば、表示操作部１６のトップ画面であるものとする。電力表示画面２０には、「現在の電力状態」として、「発電」、「消費」、「売電」の各数値が表示されている。
【００２９】
このうち、「発電」は、太陽光発電システムによる現在の発電電力の値を示している。「消費」は、住宅内の電気機器による現在の総消費電力の値を示している。「売電」は、現在の売電電力の値を示している。「売電」の表示は、現在の発電電力が消費電力より多いために余剰電力が発生し、電力系統に逆潮流させて売電している状態であることを示している。なお、現在の発電電力が消費電力よりも少ない場合には、不足電力を電力系統からの電力で補うこととなるため、「売電」に代えて「買電」と表示される。この場合、「買電」として、その時の買電電力の値が示される。
【００３０】
電力表示画面２０の下部には、各種アイコンが並んで表示されている。これらのアイコンは、指などによるタッチ操作を受け付けるタッチスイッチである。例えば、「設定」、」「発電実績」、「省エネ実績」の各アイコンは、それぞれ、各種設定のための設定画面、発電実績を表示する画面、省エネルギーの実績を表示する画面への切り替えのための画面切り替えボタンである。「個別機器管理」のアイコンは、個別機器管理画面への切り替えのための画面切り替えボタンである。電力表示画面２０において「個別機器管理」のアイコンをタッチすると、表示操作部１６は、電力表示画面２０から個別機器管理画面へと切り替わる。
【００３１】
図３は、個別機器管理画面の一例を示す図である。個別機器管理画面２１は、住宅内における各電気機器についての運伝状況の表示および遠隔操作を、電気機器の種別ごとに管理している画面である。
【００３２】
個別機器管理画面２１には、各種アイコンが並んで表示されている。これらのアイコンは、指などによるタッチ操作を受け付けるタッチスイッチである。例えば、「ＴＶ」、「エアコン」、「照明」の各アイコンは、それぞれ、電気機器であるテレビ、エアコン４、照明機器についての各運転状況表示画面への切り替えのための画面切り替えボタンである。「他」のアイコンは、住宅内におけるその他の電気機器全般についての運転状況表示画面への切り替えのための画面切り替えボタンである。個別機器管理画面２１において「エアコン」のアイコンをタッチすると、表示操作部１６は、個別機器管理画面２１から、エアコン４についての運転状況表示画面へと切り替わる。
【００３３】
図４は、エアコンについての運転状況表示画面の一例を示す図である。表示操作部１６は、エアコン４についての運転状況表示画面２２にて、各エアコン４の運転状況を表示する。
【００３４】
運転状況表示画面２２には、各エアコン４について、「エアコン名称」、「運転状態」、「運転切替」、「設定温度」および「室内温度」が表示されている。「エアコン名称」は、エアコン４ごとに設定された名称を表す。「運転状態」の列には、各エアコン４の現在の運転状態が、運転および停止のいずれであるかが示されている。
【００３５】
各エアコン４について、「運転切替」の列に配置されているアイコンには、各エアコン４の現在の運転モードが、冷房、暖房、除湿および送風のいずれであるかが示されている。また、「停止」のアイコンは、エアコン４が停止状態であることを示している。「運転切替」の列に配置されているアイコンは、指などのタッチによって操作されるタッチスイッチであるものとする。
【００３６】
各エアコン４について、「設定温度」の列に配置されているアイコンには、各エアコン４の現在の設定温度が示されている。かかる設定温度を示すアイコンは、タッチスイッチであるものとする。各エアコン４について、「室内温度」の列には、各エアコン４が設置されている場所における現在の温度が示されている。図４に示す例では、表示操作部１６は、運転状況表示画面２２にて、ダイニング、リビング、寝室の各所に設置されている各エアコン４の運転状況を、リストとして表示している。
【００３７】
表示ユニット７の送受信手段１５は、無線ＬＡＮにて、エアコン４の送受信手段１７との通信を行う。表示ユニット７は、エアコン４から、運転状態、運転モード、設定温度および室内温度の情報を取得する。また、表示ユニット７は、運転状態、運転モードおよび設定温度の変更のための運転指示を、同様の通信によってエアコン４へ送る。このように、表示ユニット７の送受信手段１５は、入力操作に応じた運転指示を電気機器へ送信し、かつ運転状況の情報を電気機器から受信する。
【００３８】
例えば、図４に「リビングのエアコン」として示されているリビングのエアコン４は、冷房運転、設定温度２７．０℃、室内温度２７．０℃で運転している。運転状況表示画面２２にて、運転状態として「運転」と表示されたアイコンは、リビングのエアコン４が運転中であることを示している。運転切替として「冷房」と表示されたアイコンは、リビングのエアコン４の運転モードが冷房運転であることを示している。設定温度として「２７．０℃」と表示されたアイコンは、リビングのエアコン４の設定温度が２７．０℃であることを示している。室内温度「２７．０℃」の表示は、リビングにおける現在の室内温度が２７．０℃であることを示している。
【００３９】
表示操作部１６は、電気機器であるエアコン４の運転状況を表示している運転状況表示画面２２に対する操作に応じて、運転状況表示画面２２上に、ポップアップ画面を表示する。表示操作部１６は、ポップアップ画面にて、エアコン４の運転を遠隔操作するための入力操作を受け付ける。
【００４０】
図５は、運転状況表示画面における運転切替のタッチスイッチへのタッチ操作に応じて表示されるポップアップ画面の一例を示す図である。表示操作部１６は、運転状況表示画面２２のうち、運転モードを表示している位置、すなわち「運転切替」の列に配置されているアイコンに対するタッチ操作に応じて、運転モードの切り替えのためのポップアップ画面２３を表示する。ポップアップ画面２３では、運転モードの切り替えのための入力操作と、運転停止のための入力操作とを受け付ける。
【００４１】
例えば、リビングのエアコン４の運転を停止させる場合は、使用者は、図２において「リビングのエアコン」と同じ行に位置する「冷房」のアイコンをタッチする。表示操作部１６は、かかるタッチ操作を受けて、運転状況表示画面２２に重畳させて、「「運転モード」切替」と題されたポップアップ画面２３を表示する。
【００４２】
ポップアップ画面２３には、「冷房」、「暖房」、「除湿」、「送風」、「運転停止」、「キャンセル」および「確定」の各アイコンを備える。「冷房」、「暖房」、「除湿」、「送風」のアイコンは、それぞれ冷房運転、暖房運転、除湿運転、送風運転のＯＮ／ＯＦＦを操作するためのタッチスイッチである。
【００４３】
「運転停止」のアイコンは、運転停止の操作のためのタッチスイッチである。「キャンセル」のアイコンは、各操作について確定前の入力を取り消すためのタッチスイッチである。「確定」のアイコンは、各操作についての入力を確定するためのタッチスイッチである。「冷房」、「暖房」、「除湿」、「送風」および「運転停止」の各アイコンには、現在の運転状況の表示のためのランプが付されている。
【００４４】
例えば、「リビングのエアコン」について、「冷房」のアイコンへのタッチ操作を受けて開かれたポップアップ画面２３において、リビングのエアコン４の現在の運転モードである「冷房」のアイコン内のランプが点灯している。図中、点灯中のランプを黒丸として示し、消灯中のランプを白丸として示している。
【００４５】
この状態のポップアップ画面２３において「運転停止」のアイコンをタッチすると、「冷房」のアイコン内のランプが消灯するとともに、「運転停止」のアイコン内のランプが点灯する。このとき、表示ユニット７は、リビングのエアコン４に対して、冷房運転から運転停止への切り替えを指示しようとしている状態となる。
【００４６】
この状態から「確定」のアイコンをタッチすると、表示ユニット７は、リビングのエアコン４に対し、運転停止の指示を送信する。リビングのエアコン４は、表示ユニット７からの指示に応じて、運転を停止する。また、表示操作部１６は、ポップアップ画面２３を閉じ、運転状況表示画面２２の表示に戻る。
【００４７】
この運転状況表示画面２２では、「リビングのエアコン」の「運転状態」および「運転切替」には、「停止」と表示されるとともに、「設定温度」が空欄となる。このときの「リビングのエアコン」についての表示は、図４に示す「寝室のエアコン」についての表示と同様となる。
【００４８】
なお、上述する「確定」のアイコンへのタッチに代えて、「キャンセル」のアイコンをタッチした場合、その前における「運転停止」のタッチ操作を無効とする。これにより、リビングのエアコン４は、それまでの冷房運転を続行する。
【００４９】
次に、運転モードを「冷房」から「除湿」へ切り替える操作の例を説明する。例えば、「リビングのエアコン」について、「冷房」のアイコンへのタッチ操作を受けて開かれたポップアップ画面２３において、「除湿」のアイコンをタッチする。このとき、「冷房」のアイコン内のランプが消灯するとともに、「除湿」のアイコン内のランプが点灯する。表示ユニット７は、リビングのエアコン４に対して、冷房運転から除湿運転への切り替えを指示しようとしている状態となる。
【００５０】
この状態から「確定」のアイコンをタッチすると、表示ユニット７は、リビングのエアコン４に対し、除湿運転への切り替えの指示を送信する。リビングのエアコン４は、表示ユニット７からの指示に応じて、運転モードを除湿運転へ切り替える。なお、「確定」のアイコンへのタッチに代えて、「キャンセル」のアイコンをタッチした場合、その前における「除湿」のアイコンへのタッチ操作を無効とする。これにより、リビングのエアコン４は、それまでの冷房運転を続行する。
【００５１】
図６は、運転状況表示画面における設定温度のタッチスイッチへのタッチ操作に応じて表示されるポップアップ画面の一例を示す図である。表示操作部１６は、運転状況表示画面２２のうち、設定温度を表示している位置、すなわち「設定温度」のアイコンに対するタッチ操作に応じて、設定温度の切り替えのためのポップアップ画面２４を表示する。ポップアップ画面２４では、設定温度の切り替えのための入力操作を受け付ける。
【００５２】
例えば、リビングのエアコン４の設定温度を２７．０℃から２８．０℃へ変更する場合は、使用者は、図４において「リビングのエアコン」と同じ行の、設定温度「２７．０℃」のアイコンをタッチする。表示操作部１６は、かかるタッチ操作を受けて、運転状況表示画面２２に重畳させて、設定温度の数値が表示されたポップアップ画面２４を表示する。
【００５３】
ポップアップ画面２４には、設定温度の数値の表示、数値の変更ボタンであるアイコン、タッチスイッチである「キャンセル」および「確定」の各アイコンを備える。数値に隣接して配置された上三角（△）のアイコンは、数値を増加させる変更ボタンである。また、下三角（▽）のアイコンは、数値を減少させる変更ボタンである。
【００５４】
表示操作部１６は、ポップアップ画面２４にて、数値の変更ボタンのアイコンへのタッチ操作により、設定温度の数値を変更させる。設定温度の数値を「２８」に変えることで、リビングのエアコン４に対して、２８．０℃への設定温度の変更を指示しようとしている状態となる。
【００５５】
この状態から「確定」のアイコンをタッチすると、表示ユニット７は、リビングのエアコン４に対し、２８．０℃へ設定温度を変更する指示を送信する。リビングのエアコン４は、表示ユニット７からの指示に応じて、設定温度を２８．０℃へ変更する。また、表示操作部１６は、ポップアップ画面２４を閉じ、運転状況表示画面２２の表示に戻る。この運転状況表示画面２２では、「リビングのエアコン」について、設定温度のアイコンには「２８．０℃」と表示される。
【００５６】
なお、上述する「確定」のアイコンへのタッチに代えて、「キャンセル」のアイコンをタッチした場合、その前に設定温度の数値を「２８」へと変えたときのタッチ操作を無効とする。これにより、リビングのエアコン４は、設定温度をそれまでの２７．０℃のままとする。
【００５７】
次に、表示操作部１６における強調表示について説明する。表示操作部１６は、表示形態設定手段を備える。表示形態設定手段は、複数の電気機器のうち、画面における視認し易さを他の電気機器より優先させるものとして指定された電気機器についての表示を、強調表示とするための手段である。実施の形態１にかかる遠隔操作表示装置が備える表示形態設定手段は、複数の電気機器の運転状況を表示するリストにおいて、指定された電気機器の運転状況を最上位に表示する強調表示を実施する。
【００５８】
図４に示す例では、運転状況表示画面２２にて、各エアコン４の運転状況は、上から「ダイニングのエアコン」、「リビングのエアコン」、「寝室のエアコン」の順に表示されている。かかる順序は、例えば遠隔操作表示装置が、初期設定において任意に割り当てた順序であるものとする。
【００５９】
ここで、住宅内における複数のエアコン４のうち、リビングのエアコン４が、ユーザにとって運転状況を最も知りたい部屋のエアコン４であるとする。図４に示す運転状況表示画面２２からリビングのエアコン４についての運転状況を確認する場合、ユーザは、まず、「エアコン名称」の列において「リビングのエアコン」の表示が上から２番目に位置することを確認する。これにより、ユーザは、各エアコン４について表示されている運転状況のリストのうち上から２番目の行の表示を、リビングのエアコン４についての運転状況として把握する。
【００６０】
ユーザが特定のエアコン４の運転状況を確認するには、まずそのエアコンの名称が何行目にあるかを確認する。複数の電気機器についての情報が、いずれも同様の形態の表示として、１つの運転状況表示画面２２上にリストとして並べられている場合、目当てとするエアコン４についての情報がいずれの行に表示されているかが不確かとなることがあり得る。
【００６１】
この例では、リビングのエアコン４についての運転状況が最も容易に把握できることがユーザにとって望ましいにもかかわらず、図４に示すような順序の表示とされることで、リビングのエアコン４の運転状況が一目ではわかりにくい状態となりかねない。表示ユニット７がユーザから離れた位置にある場合は、ユーザは、運転状況表示画面２２に表示されている文字が十分読み取れる位置まで行き、「リビングのエアコン」の表示を確認することとなる。
【００６２】
図７は、表示操作部に表示される設定変更画面の一例を示す図である。表示操作部１６は、運転状況表示画面２２における設定を変更するための設定変更モードにおいて、画面を設定変更画面２５へと切り替える。表示操作部１６は、いずれの操作によって、設定変更モードへ移行するものとしても良い。表示操作部１６は、エアコン４についての運転状況表示画面２２において、各エアコン４の運転状況の表示の順序を変更するときに、図７に示す設定変更画面２５を表示する。
【００６３】
設定変更画面２５は、「エアコン（１）」、「エアコン（２）」、「エアコン（３）」、「エアコン（４）」のそれぞれにエアコン４の名称を割り当てることで、表示の順序を設定する。例えば、図７に示す状態では、「エアコン（１）」に「ダイニングのエアコン」、「エアコン（２）」に「リビングのエアコン」、「エアコン（３）」に「寝室のエアコン」がそれぞれ割り当てられている。「エアコン（４）」には割り当てられているエアコン４が無いため、「（未設定）」と表示されている。
【００６４】
図７に示す設定によると、運転状況表示画面２２には、図４に示すように、上から「ダイニングのエアコン」、「リビングのエアコン」、「寝室のエアコン」の順に、運転状況が表示されることになる。
【００６５】
設定変更画面２５において、「エアコン（１）」、「エアコン（２）」、「エアコン（３）」、「エアコン（４）」のそれぞれの右側に、タッチスイッチである位置変更ボタン２６が設けられている。設定変更画面２５には、４つの位置変更ボタン２６が示されている。位置変更ボタン２６は、三角形が描かれたアイコンとして表示されている。
【００６６】
位置変更ボタン２６は、タッチ操作を受けて、「エアコン（１）」、「エアコン（２）」、「エアコン（３）」、「エアコン（４）」に対する各エアコン名称の割り当てを変更することで、各エアコン４の運転状況の表示の順序を変更する。位置変更ボタン２６は、表示形態設定手段として機能する。
【００６７】
設定変更画面２５において、エアコン名称「ダイニングのエアコン」、「リビングのエアコン」、「寝室のエアコン」、「（未設定）」のそれぞれの右側に、タッチスイッチである名称変更ボタン２７が設けられている。設定変更画面２５には、４つの名称変更ボタン２７が示されている。名称変更ボタン２７は、「変更」のアイコンとして表示されている。名称変更ボタン２７は、タッチ操作を受けて、エアコン名称の変更のための入力を受け付ける。
【００６８】
例えば、「リビングのエアコン」の表示位置を上に移動させる場合、ユーザは、「エアコン（２）」の右に位置する位置変更ボタン２６をタッチする。位置変更ボタン２６は、対応するエアコン名称の位置を１行ずつ上に移動させる。図７では、タッチされた位置変更ボタン２６内の三角形を黒塗りとして示している。ユーザは、タッチする位置変更ボタン２６を選択することによって、表示を移動させるエアコン４を特定する。
【００６９】
「エアコン（２）」の右に位置する位置変更ボタン２６をユーザが１回タッチすると、「リビングのエアコン」の位置は、「エアコン（２）」から１つ上の「エアコン（１）」へ移動する。それに伴い、「ダイニングのエアコン」の位置は、「エアコン（１）」から１つ下の「エアコン（２）」へ移動する。これにより、図７に示す状態から、「リビングのエアコン」の位置と「ダイニングのエアコン」の位置とが入れ替えられる。
【００７０】
これにより、「ダイニングのエアコン」の表示は、最上位へと移動する。ここで、最上位とは、運転状況表示画面２２が各電気機器の情報を上下方向へ並べたリストとして表示する場合、リストの一番上であることを指す。
【００７１】
このようにして、位置変更ボタン２６は、複数のエアコン４の運転状況を表示するリストにおいて、画面における視認し易さを他のエアコン４より優先させるものとして指定されたエアコン４の運転状況を最上位に表示するための操作を受け付ける。位置変更ボタン２６の操作によって、リビングのエアコン４についての表示位置を最上位とする位置変更を実施すると、ユーザは、設定変更画面２５を閉じ、設定変更モードによる操作を終了する。表示操作部１６は、設定変更画面２５での操作のとおり、運転状況表示画面２２における各エアコン４の運転状況の表示順を設定する。
【００７２】
図８は、設定変更画面での操作を経た運転状況表示画面の一例を示す。設定変更画面２５での操作を受けて、運転状況表示画面２２では、図４に示す状態に対し、リビングのエアコン４についての運転状況の表示と、ダイニングのエアコン４についての運転状況の表示とが入れ替えられている。表示操作部１６は、このようにして、画面における視認し易さを他のエアコン４より優先させるものとしてユーザが指定したリビングのエアコン４についての表示を、複数のエアコン４の運転状況を表示するリストにおいて最上位に表示する。
【００７３】
設定変更画面２５によって設定された表示順は、設定変更画面２５での設定変更を再度実施しない限り、維持される。これにより、表示操作部１６は、個別機器管理画面２１から運転状況表示画面２２へ切り替えられるたびに、ユーザにとって運転状況を優先して知りたいとされているリビングのエアコン４を常に最上位に表示する。
【００７４】
運転状況表示画面２２においてリビングのエアコン４の情報が常に最上位に表示されることで、ユーザは、運転状況表示画面２２からリビングのエアコン４の運転状況を確認するときに、「リビングのエアコン」が何行目にあるかを探す必要が無くなる。ユーザは、リビングのエアコン４の運転状況について、一目で容易に把握することが可能となる。表示ユニット７がユーザから離れた位置にある場合も、ユーザは、表示ユニット７へ歩み寄る手間を軽減することができる。
【００７５】
以上により、遠隔操作表示装置は、複数の電気機器の運転状況を表示する画面の中から、指定された電気機器についての運転状況をユーザが容易に把握できるという効果を奏する。
【００７６】
なお、表示形態設定手段は、設定変更画面２５の位置変更ボタン２６である場合に限られない。表示形態設定手段は、電気機器の運転状況の表示位置を変更させることができるものであれば良く、どのような構成のものとしても良い。電気機器の運転状況の表示位置を変更するための手法は、本実施の形態で説明するものに限られず、いずれの手法によるものであっても良い。
【００７７】
表示形態設定手段は、さらに、画面の切り替えのためのタッチスイッチの位置を変更させる機能を備えるものであっても良い。この場合も、表示形態設定手段は、例えば、設定変更モードにおいて表示される所定の設定変更画面において、タッチスイッチとして構成されるものとする。
【００７８】
例えば、表示形態設定手段は、図２に示す電力表示画面２０に配置されている「設定」、」「発電実績」、「省エネ実績」、「個別機器管理」等の各タッチスイッチの位置を変更可能とする。また、表示形態設定手段は、図３に示す個別機器管理画面２１に配置されている「ＴＶ」、「エアコン」、「照明」、「他」の各タッチスイッチの位置を変更可能とする。ユーザは、例えば、各タッチスイッチのうち使用頻度が最も高いタッチスイッチが、自身にとって操作し易い位置になるように、各タッチスイッチの配置順を変更できる。
【００７９】
ユーザが、個別機器の情報としてエアコン４の運転状況を確認する頻度が高い場合、例えば、図３に示す個別機器管理画面２１に並べられた各アイコンのうち「エアコン」のアイコンを、図２に示す電力表示画面２０に並べられた各アイコンのうちの「個別機器管理」のアイコンと同じ右端としても良い。ユーザは、電力表示画面２０において「個別機器管理」のアイコンをタッチしてから、続けて個別機器管理画面２１において「エアコン」のアイコンをタッチする過程において、いずれも各アイコンの並びのうちの右端をタッチすれば良い。これにより、エアコン４の運転状況表示画面２２への切り替えにおいて、タッチするアイコンを複数のアイコンから選別するときの手間を軽減することができる。
【００８０】
表示形態設定手段によってタッチスイッチの位置を変更可能とすることで、ユーザは、自身にとって使い易いように、タッチスイッチの配置をカスタマイズすることができる。なお、表示形態設定手段は、複数のタッチスイッチの配置順を変更する場合に限られず、画面上の任意の位置にタッチスイッチを配置できることとしても良い。
【００８１】
実施の形態２．
図９は、本発明の実施の形態２にかかる遠隔操作表示装置における、運転状況表示画面の一例を示す図である。本実施の形態にかかる遠隔操作表示装置は、実施の形態１にかかる遠隔操作表示装置と同様の構成を備える。実施の形態１と同一の部分には同一の符号を付し、重複する説明を適宜省略する。
【００８２】
実施の形態２にかかる遠隔操作表示装置が備える表示形態設定手段は、指定された電気機器についての表示に含まれる文字列のフォントを、他の電気機器についての表示に含まれる文字列のフォントとは異ならせることによる強調表示を実施する。フォントを異ならせるとは、例えば、書体、文字サイズおよび色の少なくともいずれかを異ならせることをいうものとする。
【００８３】
図８に示す運転状況表示画面２２にて、エアコン名称「リビングのエアコン」、「ダイニングのエアコン」、「寝室のエアコン」の文字列は、書体、文字サイズおよび色をいずれも同じとしている。図９に示す運転状況表示画面２２では、「リビングのエアコン」の文字列の文字サイズを、「ダイニングのエアコン」、「寝室のエアコン」の文字列の文字サイズより大きくしている。また、「リビングのエアコン」の文字列の書体は、「ダイニングのエアコン」、「寝室のエアコン」の文字列の書体を太字としたものとしている。
【００８４】
表示形態設定手段は、実施の形態１の場合と同様、例えば、所定の画面上におけるタッチスイッチとして構成されるものとする。ユーザは、例えば、リビングのエアコン４についての表記を強調表示とすることを、設定変更モードにおいて表示される設定変更画面でのタッチ操作によって指示する。
【００８５】
このときのタッチスイッチである表示形態設定手段は、複数のエアコン４の運転状況を表示するリストにおいて、画面における視認し易さを他のエアコン４より優先させるものとして指定されたエアコン４について、フォントの変更によって強調表示するための操作を受け付ける。なお、表示形態設定手段は、電気機器についての表示における文字列のフォントを変更させることができるものであれば良く、どのような構成のものとしても良い。
【００８６】
表示形態設定手段への操作を受けて、運転状況表示画面２２では、「リビングのエアコン」の文字列のフォントを、「ダイニングのエアコン」、「寝室のエアコン」の文字列のフォントとは異ならせて、強調表示とする。
【００８７】
表示形態設定手段によって設定されたフォントは、表示形態設定手段による設定変更を再度実施しない限り、維持される。これにより、表示操作部１６は、個別機器管理画面２１から運転状況表示画面２２へ切り替えられるたびに、ユーザにとって運転状況を優先して知りたいとされているリビングのエアコン４のエアコン名称を、常に、他のエアコン名称より文字サイズを大きくかつ太字として強調表示する。
【００８８】
運転状況表示画面２２において「リビングのエアコン」の文字列が目立つように表示されることで、ユーザは、運転状況表示画面２２からリビングのエアコン４の運転状況を確認するときに、各エアコン名称の中から「リビングのエアコン」を容易に識別することができる。ユーザは、リビングのエアコン４の運転状況を、一目で容易に把握することが可能となる。表示ユニット７がユーザから離れた位置にある場合も、ユーザは、表示ユニット７へ歩み寄る手間を軽減することができる。
【００８９】
以上により、遠隔操作表示装置は、複数の電気機器の運転状況を表示する画面の中から、指定された電気機器についての運転状況をユーザが容易に把握できるという効果を奏する。
【００９０】
表示形態設定手段は、文字を目立たせる強調表示のためのフォント変更が可能であれば良く、文字サイズおよび文字の太さを変化させる場合に限られない。表示形態設定手段は、例えば、明朝体、ゴシック体などの書体の種類や、文字の色を変化させることでフォントを異ならせることとしても良い。
【００９１】
実施の形態３．
図１０は、本発明の実施の形態３にかかる遠隔操作表示装置における、運転状況表示画面の一例を示す図である。本実施の形態にかかる遠隔操作表示装置は、実施の形態１にかかる遠隔操作表示装置と同様の構成を備える。実施の形態１と同一の部分には同一の符号を付し、重複する説明を適宜省略する。
【００９２】
実施の形態３にかかる遠隔操作表示装置が備える表示形態設定手段は、指定された電気機器についての表示にアイコンを追加することによる強調表示を実施する。図１０に示す運転状況表示画面２２には、エアコン名称「リビングのエアコン」の左隣に、矢印のマークが描かれたアイコン２８が付されている。
【００９３】
表示形態設定手段は、実施の形態１の場合と同様、例えば、所定の画面上におけるタッチスイッチとして構成されるものとする。ユーザは、例えば、リビングのエアコン４についての表記を強調表示とすることを、設定変更モードにおいて表示される設定変更画面でのタッチ操作によって指示する。
【００９４】
このときのタッチスイッチである表示形態設定手段は、複数のエアコン４の運転状況を表示するリストにおいて、画面における視認し易さを他のエアコン４より優先させるものとして指定されたエアコン４について、アイコン２８の追加によって強調表示するための操作を受け付ける。なお、表示形態設定手段は、電気機器についての表示にアイコン２８を付すことができるものであれば良く、どのような構成のものとしても良い。
【００９５】
表示形態設定手段への操作を受けて、運転状況表示画面２２では、「リビングのエアコン」の左隣にアイコン２８を付加する。表示形態設定手段により付与されたアイコン２８の表示は、表示形態設定手段による設定変更を再度実施しない限り、維持される。
【００９６】
これにより、表示操作部１６は、個別機器管理画面２１から運転状況表示画面２２へ切り替えられるたびに、ユーザにとって運転状況を優先して知りたいとされているリビングのエアコン４について、常に、アイコン２８を付することで強調表示する。
【００９７】
運転状況表示画面２２においてエアコン名称「リビングのエアコン」の冒頭にアイコン２８が付されることで、ユーザは、運転状況表示画面２２からリビングのエアコン４の運転状況を確認するときに、各エアコン名称の中から「リビングのエアコン」を容易に識別することができる。ユーザは、リビングのエアコン４の運転状況を、一目で容易に把握することが可能となる。表示ユニット７がユーザから離れた位置にある場合も、ユーザは、表示ユニット７へ歩み寄る手間を軽減することができる。
【００９８】
以上により、遠隔操作表示装置は、複数の電気機器の運転状況を表示する画面の中から、指定された電気機器についての運転状況をユーザが容易に把握できるという効果を奏する。
【００９９】
強調表示とするアイコン２８は、ユーザが指定した電気機器についての情報を目立たせるものであれば良く、本実施の形態で説明するものに限られない。アイコン２８とするマークのデザインや図形、および位置は、任意であるものとする。
【０１００】
表示操作部１６は、ユーザによって指定された電気機器のみに対しアイコン２８を付加する場合に限られない。表示操作部１６は、各電気機器に対しアイコンを付すこととし、アイコンとするマークの色、デザイン、図形などを異ならせることによる強調表示を行うこととしても良い。この場合も、ユーザは、複数の電気機器の運転状況を表示する画面の中から、指定された電気機器についての運転状況を容易に把握することができる。
【０１０１】
各実施の形態にかかる遠隔操作表示装置は、太陽光発電システムとは接続せず、専ら住宅内の各電気機器の遠隔操作および運転状況の表示のための装置としても良い。この場合も、遠隔操作表示装置は、複数の電気機器の運転状況を表示する画面の中から、指定された電気機器についての運転状況をユーザが容易に把握できるという効果を得ることができる。
【０１０２】
太陽光発電システムと接続される遠隔操作表示装置の場合、電気機器の遠隔操作と運転状況の表示に特化する場合に比べ、画面に表示すべき情報量が格段に増加することとなる。太陽光発電システムに関しては、例えば、瞬時発電電力、積算発電電力量、任意の期間における発電電力量、売電に関する電力および電力量、買電に関する電力および電力量など、表示に含められる情報は多岐に渡ることが考えられる。
【０１０３】
遠隔操作表示装置は、画面に表示すべき情報が多くなるほど、表示の内容を把握しづらくなる。このため、遠隔操作表示装置は、詳細な情報を把握し易い態様で表示するために、画面切り替えを適宜取り入れた画面構成を採用する場合がある。
【０１０４】
太陽光発電システムと接続される遠隔操作表示装置の場合、図２、図３および図４等に示すように、階層的に構成された画面同士での切り替えが採用されることとなる。画面切り替えを実施する場合、ユーザが確認したい情報を表示する画面への切り替えを、ユーザが迷わず素早く実行すること、画面において知りたい情報をユーザが迷わず素早く把握できることが望ましい。したがって、本発明にかかる遠隔操作表示装置は、表示形態設定手段によって、ユーザが知りたい情報を素早く把握できるようにすることで、より顕著な効果を奏するものである。
【０１０５】
実施の形態にかかる遠隔操作表示装置は、計測ユニット６、表示ユニット７および電気機器であるエアコン４の間の通信手段として無線ＬＡＮを使用しているが、これに限られない。遠隔操作表示装置は、無線ＬＡＮ以外の無線通信、例えば、Ｂｌｕｅｔｏｏｔｈ（登録商標）や、有線ＬＡＮ、電力線搬送等の通信手段を使用しても良い。
【０１０６】
遠隔操作表示装置の表示および操作の対象とする電気機器は、エアコン４以外であっても良い。遠隔操作表示装置は、エアコン４のほか、例えば、照明機器、給湯器、テレビ等、複数の運転状態を有する電気機器の遠隔操作および表示に適している。遠隔操作表示装置は、太陽光発電システムの電力情報を表示するとともに、電気機器の運転状況の表示と、使用者による電気機器の遠隔操作とにより、使用者による省エネルギーの実践をサポートするのに有用である。
【符号の説明】
【０１０７】
１  太陽電池アレイ、２  パワーコンディショナ、３  分電盤、４  エアコン、５  出力線、６  計測ユニット、７  表示ユニット、８  通信線、９  電流センサ、１０  電流センサ入力部、１１  売買電力検出用電流センサ、１２  電流センサ、１３  電力線、１４  送信手段、１５  送受信手段、１６  表示操作部、１７  送受信手段、２０  電力表示画面、２１  個別機器管理画面、２２  運転状況表示画面、２３，２４  ポップアップ画面、２５  設定変更画面、２６  位置変更ボタン、２７  名称変更ボタン、２８  アイコン。
【図１】
2014160382.tif 000003
【図２】
2014160382.tif 000004
【図３】
2014160382.tif 000005
【図４】
2014160382.tif 000006
【図５】
2014160382.tif 000007
【図６】
2014160382.tif 000008
【図７】
2014160382.tif 000009
【図８】
2014160382.tif 000010
【図９】
2014160382.tif 000011
【図１０】
2014160382.tif 000012